【事件の表示】
　特許第３１９２５７０号「アース用端子」の請求項１ないし４、９に係る特許に対する特許異議の申立てについて、次のとおり決定する。
【結　論】
　訂正を認める。
　特許第３１９２５７０号の請求項１、２、３及び８に係る特許を維持する。
【理　由】
〔１〕手続の経緯
　特許第3192570号の請求項１〜９に係る発明についての出願は、平成７年４月４日に特許出願され、平成13年５月25日にその発明についての特許権の設定登録がされ、その後、その請求項１〜４及び９に係る発明の特許について、異議申立人石黒良一より特許異議の申立てがされ、取消しの理由が通知され、その指定期間内（請求により３ケ月延長）である平成12年12月20日に訂正請求がされたものである。
　
〔２〕訂正の適否についての判断
　ア．訂正の内容
　特許権者が求めている訂正の内容は、以下のａ〜ｃのとおりである。
　ａ特許請求の範囲の請求項１に記載される
「【請求項１】プリント回路基板30の接地パターン31に取り付けるための平板状の基板部10と、該基板部の一辺から一体にかつ該基板部に対し対向する側に突出したスプリングコンタクト20とからなるアース用端子において、前記スプリングコンタクトは、先端部と、該先端部と一体に連接するとともに前記基板部に対し無負荷状態で平行に対向するように設けた平板状の第１の本体部22と、該第１の本体部と前記基板部とを一体に連結する第２の本体部23とからなり、前記第１の本体部が、真空吸着用の面を形成することを特徴とするアース端子。」を
「【請求項１】プリント回路基板30の接地パターン31に取り付けるための平板状の基板部10と、該基板部の一辺から一体にかつ該基板部に対し対向する側に突出したスプリングコンタクト20とからなるアース用端子において、前記スプリングコンタクトは、先端部と、該先端部と一体に連接するとともに前記基板部に対し無負荷状態で平行に対向するように設けた平板状の第１の本体部22と、該第１の本体部と前記基板部とを一体に連結する第２の本体部23とからなり、前記第１の本体部が、真空吸着用の面を形成
し、前記先端部が、前記第１の本体部から内側に折り曲げた板状部分28を有し、該板状部分は、前記第１の本体部より幅が狭いこと
と訂正する。
　ｂ特許請求の範囲の請求項２を削除する。
　ｃ明細書中の特許請求の範囲の【請求項３】、【請求項４】、・・・、【請求項９】の表示を、【請求項２】、【請求項３】、・・・、【請求項８】と訂正し、
　特許請求の範囲の旧【請求項３】中の「請求項１または２」を「請求項１」と、旧【請求項４】中の「請求項１乃至３のいずれか」を「請求項１または２」と、旧【請求項５】中の「請求項１乃至４」を「請求項１乃至３」と、旧【請求項６】中の「請求項５」を「請求項４」と、旧【請求項７】中の「請求項５または６」を「請求項４または５」と、旧【請求項８】中の「請求項５または６」を「請求項４または５」と、旧【請求項９】中の「請求項１乃至８」を「請求項１乃至７」と訂正する。
　
　イ．訂正の目的の適否、新規事項の有無及び拡張・変更の存否
　上記訂正事項ａは、旧請求項１に「前記先端部が、前記第１の本体部から内側に折り曲げた板状部分28を有し、該板状部分は、前記第１の本体部より幅が狭いこと」を追加することであるから、特許請求の範囲の減縮に相当する。
　そして、上記訂正事項ａに関連する事項として願書に添付した明細書（以下、「特許明細書」という。）の発明に詳細な説明の段落【0016】には、「本実施例に係るアース用端子は、スプリングコンタクトの先端部に、前記第１の本体部から内側に折り曲げた板状部分28を設ける。図示実施例では、この板状部分は、第１の本体部より幅を狭くして有る。」と記載されていることから、特許明細書に記載された事項の範囲内において減縮するものであって、新規事項の追加に該当しない。
　
　上記訂正事項ｂは、請求項２を削除するものであるから特許請求の範囲の減縮を目的とするものである。そして、新規事項の追加にも該当しない。
　
　上記訂正事項ｃは、訂正事項ｂによる旧【請求項２】の削除に伴い、各請求項の項番を繰り上げ、引用する項番の整合をはかるものであるから、明りょうでない記載の釈明を目的とするものであり、新規事項の追加に該当しない。
　
　そして、上記いずれの訂正も実質上特許請求の範囲を拡張し、又は変更するものではない。
　
　ウ．むすび
　以上のとおりであるから、上記訂正は特許法等の一部を改正する法律（平成６年法律第116号）附則第６条第１項の規定によりなお従前の例によるとされる、特許法第120条の４第３項において準用する平成６年法律第116号による改正前の特許法第126条第１項ただし書、及び第２項の規定に適合するので、当該訂正を認める。
　
〔３〕特許異議申立てについて
　ア．申立ての理由の概要
　異議申立人石黒良一は、次のように主張している。
　本件請求項１に係る発明は、甲第１又は２号証に記載された発明から、または甲第１又は２号証に記載された発明に甲第３〜７号証に記載された発明を適用することにより当業者が容易に発明をすることができたものであるから、特許法第29条第２項の規定により特許を受けることができない。
　本件請求項２に係る発明は、甲第８号証に記載された発明であるから、特許法第29条第１項第３号に該当し、または甲第８号証及び甲第９号証に記載された発明に基づいて当業者が容易に発明をすることができたものであり、特許法第29条第２項の規定により特許を受けることができない。
　本件請求項３に係る発明は、甲第１、２、８及び11号証に記載された発明に基づいて当業者が容易に発明をすることができたものであり、特許法第29条第２項の規定により特許を受けることができない。
　本件請求項４に係る発明は、甲第１、２、８及び10号証に記載された発明に基づいて当業者が容易に発明をすることができたものであり、特許法第29条第２項の規定により特許を受けることができない。
　更に本件請求項９に係る発明は、甲第１、２、８、11及び12号証に記載の発明に基づいて当業者が容易に発明をすることができたものであり、特許法第29条第２項の規定により、特許を受けることができない。
　
  イ．取消理由の概要
　当審が提示した取消理由の概要は、以下のとおりである。
(1)刊行物
　刊行物１：意匠登録第921745号公報（異議申立人の提出した甲第８号証　　　　　　）
　刊行物２：特開平5-74522号公報（異議申立人の提出した甲第１号証）
　刊行物３：実願昭60-24996号（実開昭61-142483号）のマイクロフィルム　　　　　（異議申立人の提出した甲第２号証）
　刊行物４：実願平3-109220号（実開平6-52195号）のＣＤ−ＲＯＭ（異議　　　　　　申立人の提出した甲第３号証）
　刊行物５：実願平4-75531号（実開平6-41080号）のＣＤ−ＲＯＭ（異議申　　　　　　立人の提出した甲第４号証）
　刊行物６：実願平3-102144号（実開平5-50690号）のＣＤ−ＲＯＭ（異議　　　　　　申立人の提出した甲第５号証）
　刊行物７：特公昭63-14518号公報（異議申立人の提出した甲第６号証）
　刊行物８：特開平6-104033号公報（異議申立人の提出した甲第７号証）
　刊行物９：実願昭63-145503号（実開平2-65353号）のマイクロフィルム（　　　　　　異議申立人の提出した甲第10号証）
　刊行物10：実願昭62-106778号（実願昭64-13195号）のマイクロフィルム　　　　　（異議申立人の提出した甲第11号証）
(2)概要
　本件発明１〜４は、刊行物１〜８に記載された発明に基づいて当業者が容易に発明をすることができたものであり、
　本件発明９は、刊行物１〜10に記載された発明に基づいて当業者が容易に発明をすることができたものであるから、
　本件発明１〜４及び９に係る発明の特許は、特許法第29条第２項の規定に違反してされたものである。
　　
　ウ．本件発明
　上記〔２〕で示したように上記訂正が認められるから、本件の請求項１〜３、８に係る発明（訂正前の請求項１、３、４、及び９に対応する。以下、「本件発明１」〜「本件発明３」、「本件発明８」という。）は、上記訂正に係る訂正明細書の特許請求の範囲の請求項１〜３、８に記載された次のとおりのものである。
【請求項１】「プリント回路基板30の接地パターン31に取り付けるための平板状の基板部10と、該基板部の一辺から一体にかつ該基板部に対し対向する側に突出したスプリングコンタクト20とからなるアース用端子において、前記スプリングコンタクトは、先端部と、該先端部と一体に連接するとともに前記基板部に対し無負荷状態で平行に対向するように設けた平板状の第１の本体部22と、該第１の本体部と前記基板部とを一体に連結する第２の本体部23とからなり、前記第１の本体部が、真空吸着用の面を形成
し、前記先端部が、前記第１の本体部から内側に折り曲げた板状部分28を有し、該板状部分は、前記第１の本体部より幅が狭いこと
【請求項２】「請求項１に記載のアース用端子において、前記基板部の裏面にハンダ処理を施したことを特徴とするアース用端子。」
【請求項３】「請求項１または２に記載のアース用端子において、前記基板部に切り欠き27を設けたことを特徴とするアース用端子。」
【請求項８】「請求項１乃至７のいずれかに記載のアース用端子を、前記スプリングコンタクトを横断する方向に、複数個連結したアース用端子具。」
　
　エ．刊行物に記載の発明
　刊行物１（意匠登録第921745号公報：異議申立人の提出した甲第８号証）には、接触子に関し、左側面図、正面図、右側面図、平面図、底面図、ＡーＡ線拡大断面図、基板に取り付けた状態を示す参考図、使用状態を示す参考図とともに、説明として、「本物品は、基板と基板、あるいは基板とシャーシなどの電気的接触を取り、両部材間の電位差を無くすための接触子である。使用方法は、本物品を一方の部材にネジ止めして、もう一方の部材を圧接させる。本物品は、弾性変形しつつ、両部材の間に挟まって、両者の電気的接触を取る。本物品の材質は弾性を有する金属の薄板であり、大きさは左側面図において横巾が１cmである。背面図は正面図と対称にあらわれる。」と記載されている。
　したがって、上記の記載及び図面によれば、上記刊行物１には、以下の発明（以下、「引用発明１」という。）が、記載されていると認められる。
「基板又はシャーシに取り付けるための平板状の基板部と、該基板部の一辺から一体にかつ該基板部に対し対向する側に突出し弾性を有する金属の薄板からなる上部部分とからなる接触子において、前記上部部分は、先端部と、該先端部と一体に連接するとともに前記基板部に対し無負荷状態で平行に対向するように設けた平板状の第１の本体部と、該第１の本体部と前記基板部とを一体に連結する第２の本体部とからなり、前記先端部が、前記第１の本体部から内側に折り曲げた板状部分を有する接触子。」
 
　同刊行物２（特開平5-74522号公報：異議申立人の提出した甲第１号証）には、電気コネクタ及びその製造方法に関して、図１〜11とともに、以下の事項が記載されている。
(1)「親プリント回路板と取外し可能な縁カード形式の子プリント回路板とを機械的に且つ電気的に連結するための電気コネクタであって、電気的絶縁材料からなり、子プリント回路板の一部分を受入れるためのスロットを有する頂部表面と該スロットの両側にある少なくとも二列の接点室とを有するハウジングと、前記接点室の少なくとも幾つかの中に位置決めされた複数個の第１の形式の導電性接点と、前記接点室の少なくとも幾つかの中に位置決めされた複数個の第２の形式の導電性接点と、前記ハウジングの外側表面に沿って位置決めされた接地シールドであって、親プリント回路板と結合するために導電性板の底部分から延在するはんだ尾部を有する導電性板と、前記ハウジング中へ延在する少なくとも１つの指状部分であって、おのおの前記列の１つで前記第１の形式の接点の２つの間の領域に位置決めされた少なくと１つの指状部分と、子プリント回路板上の接地部分への連結のために前記ハウジング頂部表面より上方に延び、それにより子プリント回路板接地部分からの電気が比較的短い経路に沿って親プリント回路板へ伝送されることができ、前記第１の形式の接点を通って流れる電気によって発生された電磁力が前記接地シールド指状部分によって少なくとも部分的に遮断されることができ且つ親プリント回路板の接地へ伝送されることができるようにした頂部分とを含む接地シールドと、を含む電気コネクタ。」（特許請求の範囲の請求項１）
(2)「接点92は子板88上に配置され且つそれへはんだ付けされる。接地接点92を子板88へ固定連結した後、担持ストリップ96は除去されることができる。図示した実施例では、接地接点92は折り重ねされた猫背形状を有する。しかしながら、適当な形状の接地接点が設けられることができる。」（段落【0022】）
(3)「シールド86及び87はハウジング82の外側へ取付けられ、シールドの部分は取付け突出部104上及びその背後に位置決めされる。シールド86及び87は取付け受容部106中の位置へ屈曲された取付け突出部110を有する。図示した実施例では、シールドの頂部分112は子板接地接点92と接触するようにばね接点114として設けられる。」（段落【0023】）
　上記の記載及び図面によれば、上記刊行物２には、以下の発明（以下、「引用発明２」という。）が記載されているものと認められる。
「子プリント回路板の接地パターンに取り付けるための平板状基板部と、該基板部の一辺から一体にかつ該基板部に対し対向する側に突出したバネ性を有する金属の薄板からなる上部部分とからなる接地接点において、前記上部部分は、前記基板部に対し無負荷状態で平行に対向するように設けた平板状の第１の本体部と、該第１の本体部と前記基板部とを一体に連結する第２の本体部とからなる接地接点。」
　
　同刊行物３（実願昭60-24996号（実開昭61-142483号）のマイクロフィルム：異議申立人の提出した甲第２号証）には、多接点アースバネに関し、第１〜３図とともに以下の事項が記載されている。
(1)「図に示す多接点アースバネは、弾性を有する導電性の良好な金属例えば矩形状の燐青銅板の長手方向両端のほぼ中央に半円状の切欠き22を形成し、幅方向両側に沿って中心に互いに逆方向のＬ字状切込み23を設けて平形Ｕ字状に折り曲げる。そしてＬ字状切込み23を形成した接片24の先端を丸形状に成形し、この接片24を平形Ｕ字状の底部より外に突出せしめた多接点アースバネ２の長手方向両端部の折り曲げ部21を、印刷配線基板１に半田付けするようにした構造であり、折り曲げ部21に設けた半円状の切欠き22は半田の回りをよくするためのものである。」（明細書第４頁第13行〜第５頁第４行）
　上記の記載及び図面によれば、上記刊行物３には、以下の発明（以下、「引用発明３」という。）が記載されているものと認められる。
「印刷配線基板の接地パターンに取り付けるための平板状の折り曲げ部と、該折り曲げ部の両辺から一体にかつ該折り曲げ部に対し対向する側に突出した弾性を有する金属の薄板からなる上部部分とからなるアースバネにおいて、前記上部部分は、前記折り曲げ部に対し無負荷状態で平行に対向するように設けた第１の本体部と、第１の本体部と前記折り曲げ部とを一体に連結する２つの第２の本体部からなるアースバネ。」
　
　同刊行物４（実願平3-109220号（実開平6-52195号）のＣＤ−ＲＯＭ：異議申立人の提出した甲第３号証）には、表面実装用コネクタ自動マウント用カバーに関し、図１〜８とともに以下の事項が記載されている。
(1)「ハウジング１の表面２にピン状端子３等が突出しているコネクタ４をプリント回路基板に表面実装する為に、真空吸着ノズル５で上記コネクタ４を真空吸着する際に用いる手段に於いて；上記コネクタ４を真空吸着する際に用いる手段は、上記真空吸着ノズル５のノズル端部16が吸着できる基板面と平行で平坦な天面７と、平坦な天面７の左右両側に設けられている上記コネクタ４の左右側壁８に係合できる係合部９とを有して成るカバー６であることを特徴とする表面実装用コネクタ自動マウント用カバー。」（実用新案登録請求の範囲の請求項１）
　
　同刊行物５（実願平4-75531号（実開平6-41080号公報）のＣＤ−ＲＯＭ：異議申立人の提出した甲第４号証）には、面実装形貫通コンデンサ内蔵多ピンコネクタ装置に関して、図１〜３とともに以下の事項が記載されている。
(1)「複数の貫通コンデンサ内蔵接続端子を備える第１のコネクタ部および、複数の貫通コンデンサ内蔵接続端子を備える第２のコネクタ部を上下に重なるように一体に形成するとともに、第１，第２のコネクタ部に一体にシールドケースを設け、このシールドケースの上辺に平面部を形成し、この平面部を吸着部としてなる面実装形貫通コンデンサ内蔵多ピンコネクタ装置。」
（実用新案登録請求の範囲の請求項１）　
　
　同刊行物６（実願平3-102144号（実開平5-50690号）のＣＤ−ＲＯＭ：異議申立人の提出した甲第５号証）には、コネクタに関し、図１〜10とともに以下の事項が記載されている。
(1)「またシェル３には、その一部をコンタクト１の端子部11側に延出してなる平面部31が形成されている。この平面部31は、設置面2dに対して平行にのびコンタクト１の端子部11の反対面側（図１において上面側）において、コネクタの重心線Ｇ上に設けられる。平面部31の面積は、図１に示した吸着用ノズル７による吸着を十分に行えるように、吸着ノズル７の吸着口の面積以上とすれば良い。」（明細書の段落【0016】）
　
　同刊行物７（特公昭63-14518号公報：異議申立人の提出した甲第６号証）には、電子部品装着装置に関し、第１〜７図とともに以下の事項が記載されている。
(1)「本発明は、リード線を有しない電子部品を、テープの収納穴から吸着具で吸着し、電子回路基板等の予め接着剤が塗布された位置へ安定して装着するために、吸着位置へ部品を間欠的に安定して送り出すことを目的としている。」（第２欄第16〜20行）
　
　同刊行物８（特開平6-104033号公報：異議申立人の提出した甲第７号証）には、表面実装型コネクタに関し、図１〜４とともに以下の事項が記載されている。
(1)「本発明は回路基板（…）の端辺に実装する表面実装型コネクタの構成に係り、特に真空吸着等のハンドリングヘッドを具えた自動機による基板への搭載作業の容易化を実現して生産性の向上を図った表面実装型コネクタに関する。」（段落【0001】）
(2)「上記コネクタ２の例えば絶縁体表面の破線Ｄで示す領域を図４で示した自動機の真空吸着ヘッドで吸引してハンドリングさせ」（る。）（段落【0026】）
　
　同刊行物９（実願昭63-145503号（実開平2-65353号）のマイクロフィルム：異議申立人の提出した甲第10号証）には、表面実装型集積回路に関し、第１〜４図とともに以下の事項が記載されている。
(1)「プリント板等の回路基板４に実装された集積回路は配線導体５上に印刷された半田ペーストの溶融により半田付けされる。この時半田は切り欠き３部分にも表面張力により引き寄せられ、第３図に示したものに比べ、平形リード端子と半田との接合面積が大きくなる。なお、切り欠きの形状は半円形に限らずＶ字形、コの字形などでもよい。」（明細書第３頁第７〜14行）
　
　同刊行物10（実願昭62-106778号（実開昭64-13195号）のマイクロフィルム：異議申立人の提出した甲第11号証）には、シールドカバーの接地構造に関し、第１〜４図とともに以下の事項が記載されている。
「従来は第４図の一部破断を含む要部斜視図に示すように、電子部品（図示略）を実装し、接地用導電パターン11aを半田付け面11bに備えた回路基板11と、シールドすべき電子回路部を半田付け面11bから覆う箱形金属製シールドカバー12と、帯状金属薄板をＵ字形に折曲し、一方の折曲部にスリット13a-1を入れて舌片13aを形成し、他方の折曲部を取付け足部13bとする接地ばね13とからなり、回路基板11の接地用導電パターン11aに接地ばね13の取付け足部11bを半田付けし、シールドカバー12の内面に接地ばね13の舌片13aを弾発接触して取付ねじ14で固定する接地構造である。」（明細書第３頁第16行〜第４頁第８行）
　
　オ．対比・判断
　本件発明１と引用発明１を対比すると、引用発明１の「基板部」、「接触子」は、本件発明１の「プリント回路基板」、「アース用端子」に相当するものと認められる。また、当然基板部にはパターンを有し、接地部材も有するから、引用発明１は、「プリント回路基板の接地パターンに取り付け」ているものと認められ、引用発明１も基板部に対し対向する側に突出する弾性を有する金属の薄板からなる上部部分を有するから、「スプリングコンタクト」があるものと認められるから、
　両者は
「プリント回路基板の接地パターンに取り付けるための平板状の基板部と、該基板部の一辺から一体にかつ該基板部に対し対向する側に突出したスプリングコンタクトとからなるアース用端子において、前記スプリングコンタクトは、先端部と、該先端部と一体に連接するとともに前記基板部に対し設けた平板状の第１の本体部と、該第１の本体部と前記基板部とを一体に連結する第２の本体部とからなり、前記先端部が、前記第１の本体部から内側に折り曲げた板状部分を有するアース端子」の点で一致しており、
（相違点１）
　平板状の第１の本体部において、前者は、「基板部に対し無負荷状態で平行に対向するように設けた」のに対し、後者は基板部に対し無負荷状態でほぼ平行に対向するように設けた点、
（相違点２）
　本件発明１は、「第１の本体部が、真空吸着用の面を形成し」たのに対し、引用発明１は、そのような構成になっているのかどうか不明である点、
（相違点３）
　本件発明１は、「板状部分は、前記第１の本体部より幅が狭い」構成であるのに対し、引用発明１は、そのような構成でない点、
　で相違する。
　
　上記相違点１〜３について検討する。
　まず相違点３についてみると、引用発明２、３及び刊行物４〜10に記載された発明は、いずれも「板状部分は、第１の本体部より幅が狭い」構成を備えておらず、この構成を示唆するものではない。
　そして、本件発明１は、上記「板状部分は、前記第１の本体部より幅が狭い」構成を有することにより、スプリングコンタクトの先端部がプリント基板上のアース用端子のための接地領域から突出しないので、アース端子に隣接する別の部品等と接触するおそれを防止できる、スプリングコンタクトの基板部をプリント基板にハンダ付けする際に、基板部の縁から基板部に這い上がるハンダにスプリングコンタクトの先端部が乗り上げて、スプリングコンタクトのばね特性が変化することを防止する、等の効果を奏するものと認められる。
　したがって、相違点１及び２について検討するまでもなく、本件発明１は、引用発明１〜３に記載された発明ではないし、引用発明１〜３及び刊行物４〜10に記載された発明に基づいて当業者が容易に発明をすることができたものとは認められない。
　したがって、通知した取消理由は、解消している。
　また、異議申立人が提出した甲第９号証（実公平4-46396号公報）には「第１の折返し弾性接触板３は中央に山形の湾曲部3aを形成し、バネ定数を小さくしてしかも接触圧を高めるためその先端自由端部に立上り基板２と係合するバネ支点3bを湾曲して形成し、両持ちばね構造とすることが好ましい」（第４欄第32〜36行）が、甲第12号証（実願平4-77688号（実開平6-44033号）のＣＤ−ＲＯＭ）には「従来の電子機器に於いては、導電部Ａに導電部Ｂの接地をとる場合、図５で示したようにねじ締めにより行うか、またはどちらかの導電部に図６に示したような接地ばね10を取り付け、他の導電部にばね部10aを接触させていた。」（段落【0002】）が記載されているが、いずれのものも本件発明１の「板状部分は、第１の本体部より幅が狭い」という構成を備えていないから、本件発明１は、引用発明１〜３及び刊行物４〜12に基づいて当業者が容易に発明をすることができたものとすることができない。
　
　本件発明２、３及び８は、本件発明１にさらなる構成要件を付加した発明であるから、本件発明１が当業者が容易に発明をすることができたものとはいえない以上、本件発明２、３及び８も、引用発明１〜３及び刊行物４〜12に記載された発明に基づいて当業者が容易に発明をすることができたものとはいえない。
　
〔４〕むすび
　以上のとおりであるから、当審が提示した取消理由、及び特許異議申立ての理由及び証拠によっては、本件発明１〜３及び８に係る特許を取り消すことができない。
　また、他に本件発明１〜３及び８に係る特許を取り消すべき理由を発見しない。
　よって、結論のとおり決定する。
【異議決定日】
平成１５年１月２１日（２００３．１．２１）
【訂正の要旨】
　ａ特許請求の範囲の請求項１に記載される
「【請求項１】プリント回路基板３０の接地パターン３１に取り付けるための平板状の基板部１０と、該基板部の一辺から一体にかつ該基板部に対し対向する側に突出したスプリングコンタクト２０とからなるアース用端子において、前記スプリングコンタクトは、先端部と、該先端部と一体に連接するとともに前記基板部に対し無負荷状態で平行に対向するように設けた平板状の第１の本体部２２と、該第１の本体部と前記基板部とを一体に連結する第２の本体部２３とからなり、前記第１の本体部が、真空吸着用の面を形成することを特徴とするアース端子。」を
「【請求項１】プリント回路基板３０の接地パターン３１に取り付けるための平板状の基板部１０と、該基板部の一辺から一体にかつ該基板部に対し対向する側に突出したスプリングコンタクト２０とからなるアース用端子において、前記スプリングコンタクトは、先端部と、該先端部と一体に連接するとともに前記基板部に対し無負荷状態で平行に対向するように設けた平板状の第１の本体部２２と、該第１の本体部と前記基板部とを一体に連結する第２の本体部２３とからなり、前記第１の本体部が、真空吸着用の面を形成し
、前記先端部が、前記第１の本体部から内側に折り曲げた板状部分２８を有し、該板状部分は、前記第１の本体部より幅が狭いこと
と訂正する。
　ｂ特許請求の範囲の請求項２を削除する。
　ｃ明細書中の特許請求の範囲の【請求項３】、【請求項４】、・・・、【請求項９】の表示を、【請求項２】、【請求項３】、・・・、【請求項８】
　と訂正し、
　特許請求の範囲の旧【請求項３】中の「請求項１または２」を「請求項１」と、旧【請求項４】中の「請求項１乃至３のいずれか」を「請求項１または２」と、旧【請求項５】中の「請求項１乃至４」を「請求項１乃至３」と、旧【請求項６】中の「請求項５」を「請求項４」と、旧【請求項７】中の「請求項５または６」を「請求項４または５」と、旧【請求項８】中の「請求項５または６」を「請求項４または５」と、旧【請求項９】中の「請求項１乃至８」を「請求項１乃至７」と訂正する。
（５４）【発明の名称】
アース用端子
（５７）【特許請求の範囲】
　【請求項１】　プリント回路基板３０の接地パターン３１に取り付けるための平板状の基板部１０と、該基板部の一辺から一体にかつ該基板部に対し対向する側に突出したスプリングコンタクト２０とからなるアース用端子において、
　前記スプリングコンタクトは、先端部と、該先端部と一体に連接するとともに前記基板部に対し無負荷状態で平行に対向するように設けた平板状の第１の本体部２２と、該第１の本体部と前記基板部とを一体に連結する第２の本体部２３とからなり、
　前記第１の本体部が、真空吸着用の面を形成し、
　前記先端部が、前記第１の本体部から内側に折り曲げた板状部分２８を有し、
　該板状部分は、前記第１の本体部より幅が狭いことを特徴とするアース用端子。
　【請求項２】　請求項１に記載のアース用端子において、前記基板部の裏面にハンダ処理を施したことを特徴とするアース用端子。
　【請求項３】　請求項１または２に記載のアース用端子において、前記基板部に切り欠き２７を設けたことを特徴とするアース用端子。
　【請求項４】　請求項１乃至３のいずれかに記載のアース用端子において、前記スプリングコンタクトは、その適所にコンタクトエッジ２４、２５、２６を設けたことを特徴とするアース用端子。
　【請求項５】　請求項４に記載のアース用端子において、前記コンタクトエッジは、前記スプリングコンタクトの第１と第２の本体部との境界部分に設けたことを特徴とするアース用端子。
　【請求項６】　請求項４または５に記載のアース用端子において、前記コンタクトエッジは、前記スプリングコンタクトを横断する突条であることを特徴とするアース用端子。
　【請求項７】　請求項４または５に記載のアース用端子において、前記コンタクトエッジは、前記スプリングコンタクトを横断する方向に離間して設けた複数個の突起であることを特徴とするアース用端子。
　【請求項８】　請求項１乃至７のいずれかに記載のアース用端子を、前記スプリングコンタクトを横断する方向に、複数個連結したアース用端子具。
【発明の詳細な説明】
　【０００１】
　【産業上の利用分野】
　本願発明は、電磁誘導障害、高周波誘導障害等を防ぐため、プリント基板をシールド板あるいはシヤーシ等に接地させる場合に有効なアース端子に関する。
　【０００２】
　【従来の技術】
　この種のアース端子としては、例えば、図９に示すように、シールド板４０等に両面テープ５０で端子の基板部１０’を固定し、該基板部から突き出たリーフスプリング部２０’をプリント回路基板３０の接地パターン３１に接触させるタイプのものが知られている。
　【０００３】
　【発明が解決しようとする課題】
　然るに、かかるアース端子は、その基板部をシールド板等に正確に取り付けないと、プリント回路基板上の接地パターン以外の箇所（例えば接地パターン際のスルーホールに設けたパターン）と接触し、ショートしてしまう等のトラブルが生ずる。またアース端子の基板部は両面テープでシールド板等に取り付けるから、例えば、その取り付け位置が正確でも、後に両面テープがずれて、前記と同様のショート事故を起こしてしまうことが多々あった。
　【０００４】
　このようなショート事故を防ぐためには、両面テープのズレを考慮して、プリント回路基板側のパッドの領域を大きくとらなければならないから、基板設計上不都合であった。
　【０００５】
　またアース端子をプリント基板に取り付ける際には、人力を介するから、作業工程数が殖えてしまう等の不都合があった。
　【０００６】
　本願発明は、上記不都合を取り除くことを目的とし、自動機に対応させ、かつ小型化、低コストのアース端子を提供する。
　【０００７】
　【課題を解決するための手段】
　かかる目的を達成するため、本発明は、プリント回路基板の接地パターンに取り付けるための基板部と、その基板部の一辺から一体にかつ基板部に対し対向する側に突出したスプリングコンタクトとからなり、かつ、このスプリングコンタクトが、先端部と、その先端部と一体に建設するとともに前記基板部に対し対向するように設けた第１の本体部と、その第１の本体部と前記基板部とを一体に連結する第２の本体部とからなる、アース用端子を提供する。
　【０００８】
　【実施例】
　以下本願発明を図示実施例に基づき説明する。
　【０００９】
　図１は、本発明の第１の実施例を示す。
　本実施例のアース用端子は、基板部１０とスプリングコンタクト２０とから成る。基板部は、プリント回路基板３０の接地パターン３１（図６参照）に、ハンダ付けで取り付ける。スプリングコンタクトは、基板部の一辺から一体にかつこの基板部に対し対向する側に突出する。基板部の裏面には、ハンダメッキを施し、スプリングコンタクトの先端部には、内側に屈曲させたカール状部分２１を設ける。
　スプリングコンタクトは、先端部と、この先端部から一体に連接するとともに、基板部に対し対向するよう設けた第１の本体部２２と、第１の本体部と基板部とを連結する第２の本体部２３とからなる。
　基板部は、プリント回路基板の接地パターンにハンダ付けするが、確実にハンダ付けができるように、基板部には通孔１１を設ける。
　【００１０】
　図２は本発明の第２の実施例を示す。本実施例のスプリングコンタクトは、その適所にコンタクトエッジ２４を設ける。図示実施例では、コンタクトエッジは、スプリングコンタクトの第１と第２の本体部との境界部分に設けた突条である。この突状は、スプリングコンタクトを横断するように設ける。その他の構成は第１の実施例と同様であるので、説明を省略する。
　【００１１】
　図３は本発明の第３の実施例を示す。本実施例においては、コンタクトエッジ２５は、スプリングコンタクトを横断する方向に離間して設けた複数個の突起である。その他の構成は第１の実施例と同様であるので、説明を省略する。
　【００１２】
　図４は、本発明の第４の実施例を示す。本実施例も第３の実施例と同様、コンタクトエッジ２６は、スプリングコンタクトを横断する方向に離間して設けた複数個の突起である。その他の構成は第１の実施例と同様であるので、説明を省略する。
　【００１３】
　図５は、本発明の第５の実施例を示す。本実施例では、スプリングコンタクトの基板部に切り欠き２７を設けてあり、前記通孔１１と同様にハンダ付けを確実にする。
　なお、上記のいずれかの構成のアース用端子は、前記スプリングコンタクトを横断する方向に、複数個連結してアース用端子具とすることもできる。
　【００１４】
　図６は、本発明の第２の実施例に係るアース用端子の実際の使用状態を説明する。
　図示において、アース用端子の基板部は、プリント回路基板３０の接地パターン３１上にハンダ付けによって固定される。具体的には、本発明のアース用端子を、複数個、テープ上に載置させておき、自動機で、スプリングコンタクトの第１の本体部を真空吸着するとともにプリント回路基板の所定箇所に運び、そこで吸着を解くことによって、端子をその基板部のハンダメッキをした裏面を下にして回路基板上に載置する。次いで、回路基板をハンダ漕に通過させることにより、プリント回路基板上の他の回路素子と同様に、端子を回路基板上にハンダ付けする。
　【００１５】
　次に、このアース用端子を、回路基板の接地パターン３１を接地するためのシールドパネル４０（他に、例えばシャーシ、フレーム等）に接触させる（図示の破線の位置参照）。次いで、シールドパネルを図の下方に移動させる。この動作は、例えばシールドパネルを内部に装着してあるケースに、本件アース端子を介して回路基板を収納させる場合を考える。収納に従って、アース端子は、縮退するとともに、スプリングコンタクトは、その第２の本体部と基板部との境界となる辺を支点として回動する（図示の場合は左回転）。このとき、スプリングコンタクトの第１の部位は、図示の如く、コンタクトエッジの所で、更に内側に曲がり、図示の実線の状態になる。
　【００１６】
　図７は、本発明の第６の実施例を示す。本実施例に係るアース用端子は、スプリングコンタクトの先端部に、前記第１の本体部から内側に折り曲げた板状部分２８を設ける。図示実施例では、この板状部分は、第１の本体部より幅を狭くして有る。
　【００１７】
　図８は、本発明の第６の実施例に係るアース用端子の実際の使用状態を示す。図示から分かるように、本実施例に係るアース用端子をシールドパネル４０（あるいはシャーシ、フレーム等）に接触させたとき、スプリングとして働く部分が３枚（端子部の板状部分、第１及び第２の本体部）となり、接圧を高くできる。
　【００１８】
　【発明の効果】
　本願発明の構成は上述の如くであるが、その構成から次のような特有の効果をもたらすことができる。
　【００１９】
　本発明のアース用端子は、回路基板側にハンダ付けするから、接地する相手側、例えば、シールドパネルのどの箇所と接触しても接地の効果を得ることができる。従って、従来例の如く、端子を固定する両面テープがずれて、アース以外の箇所をアースに落としてショートさせる等の不都合を除くことができる。また取り付け位置に従来例ほど厳格である必要がない（即ち裕度がある）ことは、それだけ、端子のサイズを小型にすることができる。またその場合、端子を取り付けるパターンの寸法もそれだけ小さくてすむから、基板設計もし易くなる。
　【００２０】
　本発明のアース端子は、他のプリント回路用の素子と同様に回路基板上に取り付けることができるから、自動機の使用ができ、従って、人を介在させることなく、作業工程数の削減が可能である。
　【００２１】
　上述の如く、本発明のアース端子は、種々の利点を有するため、ＣＲＴまたはＴＦＴ、ＳＴＮカラー液晶を使用したディスプレイ等の各種電子機器のおけるノイズ、ＥＭＩ対策等に有効である。
【図面の簡単な説明】
　【図１】
　本願発明の第１の実施例を示す斜視図である。
　【図２】
　本願発明の第２の実施例を示す斜視図である。
　【図３】
　本願発明の第３の実施例を示す斜視図である。
　【図４】
　本願発明の第４の実施例を示す斜視図である。
　【図５】
　本願発明の第５の実施例を示す斜視図である。
　【図６】
　本願発明の第２の実施例の使用状態を示す断面図である。
　【図７】
　本願発明の第６の実施例を示す斜視図である。
　【図８】
　本願発明の第６の実施例の使用状態を示す断面図である。
　【図９】
　従来例の端子の使用状態を示す断面図である。
　【符号の説明】
　１０　基板部
　２０　スプリングコンタクト
　２２　第１の本体部
　２３　第２の本体部
　３０　プリント回路基板
　３１　接地パターン